(57)【特許請求の範囲】
【請求項１】
座部の後方に背もたれ部を配したマッサージ椅子において、座部内から座部の前方に向かって出没自在とされる補助座部と、補助座部を前後移動させることで座面の奥行き長さを可変にする前後駆動部とを有する座面奥行き調節手段を設け、上記前後駆動部は、伸縮動作により上記補助座部を前後方向に移動させる伸縮アクチュエータで構成され、上記補助座部上面の幅方向全長に沿わせて、上記補助座部を前方に突出させた状態で膨縮し、膨張することにより座部の座面との間に生じる段差を軽減若しくは無くすための帯状のエアセルを設けたことを特徴とするマッサージ椅子。
【請求項２】
上記補助座部に対して足載せ部を回動自在に取り付けると共に該足載せ部を補助座部と共に前後移動可能としたことを特徴とする請求項１記載のマッサージ椅子。
【発明の詳細な説明】
【技術分野】
【０００１】
本発明は、マッサージ椅子に関し、詳しくは被施療者が着座状態で奥行き長さの長い座部にゆったりと深く座ることができて、リラクゼーション効果を高めることができるマッサージ椅子の改良に関するものである。
【背景技術】
【０００２】
従来より、座部の後方に背もたれ部を配したマッサージ椅子は特許文献１等において公知であり、万人が着座できるようなサイズとなっているが、実際には人体寸法は様々である。図４（ａ）のように着座姿勢で腰から足裏までの幅Ｄと膝までの幅Ｅとに個人差があることから、椅子のサイズが一人ひとりの体に合っていないという現実がある。このため図４（ｂ）のように大柄な人の場合は、背もたれ部４にもたれた着座状態で足が足載せ部７から離れてしまう不具合がある。
【０００３】
そこで、大柄な人でも足載せ部７との隙間Ｆが生じないように座部２’の奥行き長さＢを長くして足載せ部７に足を当てることができるサイズにすることが考えられるが、小柄な人や高齢者等にとって、奥行きの長い座部２’に深く座るためには、何回も座りなおす必要が生じるなど、立ち座りの動作に大きな負担がかかるという問題がある。
【特許文献１】特開平１０−２９５７５８号公報
【発明の開示】
【発明が解決しようとする課題】
【０００４】
本発明は上記の従来の問題点に鑑みて発明したものであって、その課題とするところは、座面の奥行き長さを可変にすることで、奥行き長さの長い座面に深く着座できるものでありながら、座面への立ち座り動作が楽にできるようにしたマッサージ椅子を提供することにある。
【課題を解決するための手段】
【０００５】
前記の課題を解決するために、本発明は、座部２の後方に背もたれ部４を配したマッサージ椅子であって、座部２内から座部２の前方Ａ１に向かって出没自在とされる補助座部３と、補助座部３を前後移動させることで座面５の奥行き長さＢを可変にする前後駆動部１１とを有する座面奥行き調節手段６を設け、上記前後駆動部１１は、伸縮動作により上記補助座部３を前後方向Ａに移動させる伸縮アクチュエータ１１ａで構成され、上記補助座部３上面の幅方向全長に沿わせて、上記補助座部３を前方Ａ１に突出させた状態で膨縮し、膨張することにより座部２の座面５との間に生じる段差を軽減若しくは無くすための帯状のエアセル１２を設けたことを特徴としている。
【０００６】
このような構成とすることで、着座しないときは補助座部３を座部２内に格納して座面５の奥行き長さＢを短くしておくことで、着座の際に奥行き長さＢの短い座面５に深く座ることが楽にできるようになり、着座した状態で補助座部３を座部２内から前方Ａ１に突出させて座面５の奥行き長さＢを拡張させることによって、奥行き長さＢが長い座面５にゆったりと深く座った着座状態で快適に背部をマッサージすることができる。また、上記座部３の上面にその幅方向全長に沿って膨縮し、膨張することにより座部２の座面５との間に生じる段差を軽減若しくは無くすための帯状のエアセル１２を設置してあり、補助座部３を前方Ａ１に突出させた状態で空気によりエアセル１２を膨らませることで、座部２の座面５との間に生じる段差を軽減若しくは無くすことができ、座面５全体が面一となる。離座時には、補助座部３を座部２内に格納して座面５の奥行き長さＢを再び短くすることによって、座部２からの立ち上がり動作が楽にできるようになる。
【０００７】
また、上記補助座部３に対して足載せ部７を回動自在に取り付けると共に該足載せ部７を補助座部３と共に前後移動可能とするのが好ましく、この場合、足載せ部７が補助座部３と一緒に前後移動するので、奥行き長さＢが長い座面５に深く座った着座状態で足載せ部７に足をぴったりと当てることができるので、座面５の奥行き長さＢを変える際に、足載せ部７の前後位置を調節する手間が省けるようになる。
【発明の効果】
【０００８】
本発明は、座部内から補助座部を前方に向かって出没させることにより座面の奥行き長さを可変にできると共に、補助座部が前方に突出した状態でエアセルを膨らませることで座部の座面との間に生じる段差を軽減若しくは無くすようにすることができ、座面全体が面一となり、これにより、着座状態で奥行き長さの長い座面に深く着座できるものでありながら、小柄な人や高齢者、身体障害者、或いは腰痛やリュウマチ等の人であっても、座面への立ち座り動作が楽にできる効果が得られる。
【発明を実施するための最良の形態】
【０００９】
以下、本発明を添付図面に示す実施形態に基いて説明する。
【００１０】
本実施形態のマッサージ椅子１は、図１に示すように、被施療者１０が着座する座部２と、座部２の後方に配設される背もたれ部４と、被施療者１０の足を載せる足載せ部７とを具備している。なお、座部２の両側方には肘掛け部（図示せず）が配設されている。また背もたれ部４には、例えば、もみ、たたき等のマッサージ機構（図示せず）が装備されている。なおマッサージ機構は座部２や足載せ部７に設けられてもよい。
【００１１】
上記座部２は、椅子フレーム（図示せず）に固定支持されている。座部２の内部には、前方に開口した中空の格納部９が設けられ、この格納部９内に、座面奥行き調節手段６を構成する補助座部３及びこれを駆動する前後駆動部１１とがそれぞれ格納されている。
【００１２】
上記補助座部３は、座部２の前方Ａ１に向かって出没自在とされる。この補助座部３はその奥行き長さＢ２が座部２の奥行き長さＢ１よりも短く、上下の厚みも若干薄くなっている点を除いて、左右幅寸法や材質等は座部２と略同じに設定されている。本例の補助座部３の前半部の上面には、その幅方向全長に沿って空気の給排により膨縮する帯状のエアセル１２を設置してあり、補助座部３を前方Ａ１に突出させた状態でエアセル１２を膨らませることで、座部２の座面５との間に生じる段差を軽減若しくは無くすようにしている。
【００１３】
前後駆動部１１は、例えば伸縮動作により補助座部３を前後方向Ａに移動させるエアシリンダのような伸縮アクチュエータ１１ａで構成されており、伸縮アクチュエータ１１ａの伸縮によって補助座部３を前後方向Ａに移動させるものである。
【００１４】
ここでは、マッサージ機構による施療動作の開始と終了とを検知する検知手段（図示せず）と、検知手段からの信号に基づいて上記伸縮アクチュエータ１１ａ、上記エアセル１２をそれぞれ制御する制御部（図示せず）とを備えている。マッサージ開始が検知されると伸縮アクチュエータ１１ａが伸張すると共に、エアセル１２に空気が供給されるようになり、一方、マッサージ動作終了が検知されるとエアセル１２の空気が排気されると共に、伸縮アクチュエータ１１ａが収縮するように構成されている。
【００１５】
被施療者１０の足を載せる足載せ部７は、上記補助座部３の側面に回動自在に取り付けられており、補助座部３を前後移動させるときに足載せ部７も一緒に前後移動するようになっている。
【００１６】
次に本発明のマッサージ椅子１の使用動作を説明する。
【００１７】
着座しないときは、伸縮アクチュエータ１１ａは収縮しており、補助座部３は座部２内に格納されている。これにより、座面５の奥行き長さＢ１は短くなっており、着座する際には座部２の前に立って膝を曲げるだけで座部２に深く座ることができる。
【００１８】
着座状態でマッサージが開始されると、伸縮アクチュエータ１１ａが伸張して、補助座部３が座部２内から前方Ａ１に突出して、座面５全体の奥行き長さがＢ（Ｂ１＋Ｂ２）に拡張すると共に、補助座部３上面のエアセル１２に空気が供給されて膨張して座面５全体が面一となる（図２の状態）。またこのとき、足載せ部７が補助座部３と一緒に前方Ａ１に移動するので、足載せ部７の前後位置を調節する手間が省ける。従って、奥行き長さＢが長くなった座面５にゆったりと深く座ることができると同時に足載せ部７が補助座部３と一緒に前後移動することで、足載せ部７に足をぴったりと当てることができるので、背もたれ部によるマッサージ効果と、足載せ部４によるフットレスト効果とをそれぞれ満足させることができる。
【００１９】
マッサージの終了が検知されると、エアセル１２の空気が排気されると共に、伸縮アクチュエータ１１ａが収縮して補助座部３が座部２内に格納される。これにより、足を床に付けて楽に立ち上がることができる。なお、補助座部３を後方Ａ２に移動させるときに、膝裏が巻き込まれないようにするには、図３に示すように、足載せ部７を上昇させて膝裏を座面５から浮かせた状態にしてから、補助座部３を後退させるようにすることで、膝裏の巻き込みを防止でき、離座時の安全性を高めることができる。
【００２０】
このように、着座状態では奥行き長さＢの長い座面５にゆったりと深く座ることができるものでありながら、立ち座りの際には座面５の奥行き長さＢを短くすることができるので、小柄な人や高齢者、身体障害者、或いは腰痛やリュウマチ等の人であっても、楽に立ち座り動作ができる利点があり、しかも、１種類のマッサージ椅子１で奥行き長さＢの異なる座面５を提供できるので、きわめて経済的であり、そのうえ着座しないときは座面５の奥行き長さＢを短くできるので、コンパクトに収納できる利点もある。
【００２１】
なお、前後駆動部１１として伸縮アクチュエータ１１ａを例示したが、例えば正逆回転モータを用いたものであってもよい。またマッサージ動作の開始、終了を検知して前後駆動部１１及びエアセル１２をそれぞれ自動制御する場合を説明したが、勿論これに限らず、着座状態で手が届く範囲に設けた操作部で被施療者が個別に操作するようにしてもよいものである。
【図面の簡単な説明】
【００２２】
【図１】本発明の一実施形態に用いる座面奥行き調節手段を備えたマッサージ椅子を示し、（ａ）は概略側面断面図であり、（ｂ）は平面図である。
【図２】同上の座面奥行き調節手段により補助座部を前方に突出させて奥行き長さを長くした座面への着座状態を説明する概略側面断面図である。
【図３】同上の補助座部を後退させる際に膝裏が巻き込まれないように膝裏を浮かせた動作を説明する概略側面断面図である。
【図４】（ａ）は人体寸法の一例を説明する図であり、（ｂ）は従来のマッサージ椅子に大柄な人が着座した状態を説明する側面図である。
【符号の説明】
【００２３】
１  マッサージ椅子
２  座部
３  補助座部
４  背もたれ部
５  座面
６  座面奥行き調節手段
７  足載せ部
Ａ  前後方向
Ａ１  前方
Ｂ  奥行き長さ
【図１】
0004674612.tif 000002
【図２】
0004674612.tif 000003
【図３】
0004674612.tif 000004
【図４】
0004674612.tif 000005